(57)【特許請求の範囲】
【請求項１】
第一のウィンドウ、および前記第一のウィンドウと異なる第二のウィンドウを同じ表示画面上に開いて表示するよう制御する表示制御装置であって、
前記第一のウィンドウの上に前記第二のウィンドウが重なっているか否かを判断する判断部と、
前記判断部により、前記第一のウィンドウの上に前記第二のウィンドウが重なっていると判断されれば、前記第一のウィンドウ、および前記第二のウィンドウに重ならない領域に、前記第一のウィンドウの表示内容が把握できる表示内容把握ウィンドウを表示させるよう制御する表示制御部と、
前記判断部により、前記第一のウィンドウの上に前記第二のウィンドウが重なっていると判断されれば、前記第一のウィンドウのうちの重なっている重なり領域を抽出する抽出部とを備え、
前記表示制御部は、前記抽出部により抽出された前記重なり領域を前記表示内容把握ウィンドウに表示するよう制御し、
前記表示制御部は、前記重なり領域のうち、所定の期間内に更新された更新領域があれば、前記更新領域を拡大して表示するよう制御する、表示制御装置。
【請求項２】
第一のウィンドウ、および前記第一のウィンドウと異なる第二のウィンドウを同じ表示画面上に開いて表示するよう制御する表示制御装置であって、
前記第一のウィンドウの上に前記第二のウィンドウが重なっているか否かを判断する判断部と、
前記判断部により、前記第一のウィンドウの上に前記第二のウィンドウが重なっていると判断されれば、前記第一のウィンドウ、および前記第二のウィンドウに重ならない領域に、前記第一のウィンドウの表示内容が把握できる表示内容把握ウィンドウを表示させるよう制御する表示制御部とを備え、
前記表示制御部は、前記表示内容把握ウィンドウを、前記第一のウィンドウの側部に表示するよう制御し、
前記表示制御部は、前記第一のウィンドウの上に前記第二のウィンドウが重なっている領域のうち、所定の期間内に更新された更新領域があれば、前記更新領域を拡大して表示するよう制御する、表示制御装置。
【請求項３】
前記判断部により、前記第一のウィンドウの上に前記第二のウィンドウが重なっていると判断されれば、前記第一のウィンドウのうちの重なっている重なり領域を抽出する抽出部をさらに備え、
前記表示制御部は、前記抽出部により抽出された前記重なり領域を前記表示内容把握ウィンドウに表示するよう制御する、請求項２に記載の表示制御装置。
【請求項４】
前記表示制御部は、前記第一のウィンドウの縮小版を前記表示内容把握ウィンドウに表示するよう制御する、請求項１〜３のいずれか１項に記載の表示制御装置。
【請求項５】
前記表示制御部は、前記更新領域が複数あれば、それぞれを別個表示するよう制御する、請求項１〜４のいずれか１項に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、クリックによりアプリケーションを立ち上げたり、ファイルやフォルダを開けたりするアイコンやツールバーが表示されている。アイコンをクリックすると、ウィンドウを開いて表示して、アプリケーションが立ち上がったり、ファイルやフォルダが開いたりする。
【０００３】
ここで、複数のウィンドウが開けられた際の表示に関する技術が、特開平６−２０２８３９号公報（特許文献１）、特開平１０−６９３６４号公報（特許文献２）、特開平５−１７３７４３号公報（特許文献３）、および特開平５−６６９１０号公報（特許文献４）に開示されている。
【０００４】
特許文献１に開示の画像表示方法は、画面上に一時に表示するウィンドウの最大個数を設定する個数設定工程と、現在画面上に表示されているウィンドウ数と個数設定工程により設定された数との大小関係を判定する個数判定工程と、ウィンドウが他のウィンドウにより覆われる面積の最大の割合を設定する割合設定工程と、画面上に表示されているウィンドウが他のウィンドウに覆われている面積の割合と割合設定工程により設定された割合との大小関係を判定する割合判定工程と、画面上に表示されるウィンドウのプライオリティを設定する工程と、個数判定工程による判定結果と割合判定工程による判定結果とプライオリティに基づき、ウィンドウをアイコンとして表示するアイコン表示工程とを備えることとしている。
【０００５】
特許文献２に開示のウィンドウ画面選択方式によると、各ウィンドウ画面のアイコンを共通に表示する領域を表示装置上に設け、領域に表示されたアイコン上にマウスカーソルを移動すると自動的に各ウィンドウ画面のアイコンが順次切り替わって表示され、マウスのクリックにより画面を選択することを特徴としている。
【０００６】
特許文献３に開示の計算機装置は、複数のウィンドウを重ねて表示する際、ウィンドウの重なりあった部分を上部にあるウィンドウによって覆い隠して表示する第一の表示制御手段と、ウィンドウの重なり合った部分において重なった上下のウィンドウを混合して表示する第二の表示制御手段と、表示装置が第一の表示制御手段によって制御されている際に制御を第二の表示制御手段に切り替える手段を備えることとしている。
【０００７】
特許文献４に開示のウィンドウ選択方法によると、重なり合った各ウィンドウの表示位置および各ウィンドウの大きさを各ウィンドウが重なりを生じない位置および大きさにして表示させる命令を設けたことを特徴としている。
【先行技術文献】
【特許文献】
【０００８】
【特許文献１】特開平６−２０２８３９号公報
【特許文献２】特開平１０−６９３６４号公報
【特許文献３】特開平５−１７３７４３号公報
【特許文献４】特開平５−６６９１０号公報
【発明の概要】
【発明が解決しようとする課題】
【０００９】
表示画面に表示されたアイコンをクリックすると、作業領域となるウィンドウが開いて表示され、アプリケーションを立ち上げたり、ファイルやフォルダを開けることができる。複数のアイコンをクリックすると、複数のウィンドウが表示されることになる。このように複数のウィンドウを表示させてユーザーが作業を行うことは、一般的に広く用いられている手法である。
【００１０】
ここで、複数のウィンドウを表示させた際に、ウィンドウの一部において重なる領域が生じてしまう場合がある。そうすると、重なったウィンドウのうち、下側に位置するウィンドウの重なった領域については、表示画面上に表示されないこととなる。
【００１１】
このような場合、ユーザーは、重なった領域を見たければ、上側に位置するウィンドウの位置を移動させるか、上側に位置するウィンドウを閉じたり、最小化したりする必要がある。このような操作は、ユーザーにとって煩わしい場合もあり、できるだけ避けたいものである。すなわち、ユーザーの利便性の向上の観点から、上側に位置するウィンドウの移動等を伴わずに、下側に位置するウィンドウのうちの重なった部分を認識できることが好ましい。もちろん、上側に位置するウィンドウも、そのまま表示させておきたい。
【００１２】
特許文献１に開示の技術では、個数判定工程による判定結果と割合判定工程による判定結果とプライオリティに基づき、ウィンドウをアイコンとして表示することとしている。しかし、このような構成では、アイコンとされたウィンドウの内容を見ることができないこととなる。また、特許文献２に開示の技術では、マウスカーソルを移動させる必要があり、操作が煩雑になるおそれがある。特許文献３に開示の技術では、重なり合った部分の上下のウィンドウを混合することとしているが、画像の処理が複雑化するおそれがあり、また、ユーザーの所望した画像となるおそれがある。特許文献４に開示の技術では、ユーザーの要求するウィンドウの大きさを確保することができないおそれがある。
【００１３】
この発明の目的は、ユーザーの利便性を向上することができる表示制御装置を提供することである。
【課題を解決するための手段】
【００１４】
この発明の表示制御装置は、第一のウィンドウ、および第一のウィンドウと異なる第二のウィンドウを同じ表示画面上に開いて表示するよう制御する。表示制御装置は、判断部と、表示制御部と、抽出部とを備える。判断部は、第一のウィンドウの上側に第二のウィンドウが重なっているか否かを判断する。表示制御部は、判断部により、第一のウィンドウの上に第二のウィンドウが重なっていると判断されれば、第一のウィンドウ、および第二のウィンドウに重ならない領域に、第一のウィンドウの表示内容が把握できる表示内容把握ウィンドウを表示させるよう制御する。抽出部は、判断部により、第一のウィンドウの上に第二のウィンドウが重なっていると判断されれば、第一のウィンドウのうちの重なっている重なり領域を抽出する。表示制御部は、抽出部により抽出された重なり領域を表示内容把握ウィンドウに表示するよう制御する。表示制御部は、重なり領域のうち、所定の期間内に更新された更新領域があれば、更新領域を拡大して表示するよう制御する。
【発明の効果】
【００１５】
このような表示制御装置によると、第一のウィンドウの表示内容が把握できる表示内容把握ウィンドウを、第一のウィンドウ、および第二のウィンドウに重ならない領域に表示するよう制御することとしている。そうすると、重なった領域を含めた下側に位置する第一のウィンドウの表示内容を、表示内容把握ウィンドウを見ることにより把握することができる。この場合、カーソルの操作等は不要であり、また、上側に位置する第二のウィンドウの表示内容もそのまま見ることができる。したがって、このような表示制御装置は、ユーザーの利便性を向上することができる。
【図面の簡単な説明】
【００１６】
【図１】この発明の一実施形態に係る表示制御装置を含む表示システムの構成を示すブロック図である。
【図２】図１に示す表示制御装置を含むコンピューターの外観を示す図である。
【図３】表示画面の一例を示す図である。
【図４】図３に示す表示画面において、アイコンをクリックした状態を示す図である。
【図５】この発明の他の実施形態に係る表示制御装置を含む表示システムにおける表示画面の一例を示す図である。
【図６】この発明のさらに他の実施形態に係る表示制御装置を含む表示システムにおける表示画面の一例を示す図である。
【図７】この発明に係る表示制御装置を含む携帯端末装置の構成を示すブロック図である。
【発明を実施するための形態】
【００１７】
以下、この発明の実施の形態について説明する。図１は、この発明の一実施形態に係る表示制御装置を含む表示システムの構成を示すブロック図である。図２は、図１に示す表示制御装置を含むコンピューターの外観を示す図である。
【００１８】
図１および図２を参照して、表示システム１１は、表示制御装置１３を含むコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１９】
コンピューター１２は、コンピューター１２自身を制御するコンピューター制御部１８と、データを格納するハードディスク１９とを備える。ハードディスク１９には、種々のアプリケーションがインストールされている。また、ハードディスク１９には、種々のファイルのデータが格納されている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、クリックにより、アプリケーションを立ち上げたり、ファイルやフォルダを開けたりするアイコンやツールバー等が表示されている。
【００２０】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００２１】
表示画面１７による表示を制御する表示制御装置１３は、コンピューター１２に備えられている。表示制御装置１３は、第一のウィンドウ、および第一のウィンドウと異なる第二のウィンドウを同じ表示画面１７上に開いて表示するよう制御する。
【００２２】
ここで、表示制御装置１３は、判断部２１と、表示制御部２２とを備える。判断部２１は、第一のウィンドウの上側に第二のウィンドウが重なっているか否かを判断する。表示制御部２２は、判断部２１により、第一のウィンドウの上に第二のウィンドウが重なっていると判断されれば、第一のウィンドウ、および第二のウィンドウに重ならない領域に、第一のウィンドウの表示内容が把握できる表示内容把握ウィンドウを表示させるよう制御する。
【００２３】
図３は、第一のウィンドウの上に第二のウィンドウが重なった状態の表示画面１７の一例を示す図である。図３を参照して、同じ表示画面１７上において、第一のウィンドウ２３ａと、第二のウィンドウ２３ｂとが開けられている。第一のウィンドウ２３ａの一部は、第二のウィンドウ２３ｂの下側に位置している。すなわち、ハッチングで示す一部の領域２４において、第一のウィンドウ２３ａと第二のウィンドウ２３ｂとは、重なっている。そして、重なった領域２４においては、第二のウィンドウ２３ｂの内容は表示されているが、第一のウィンドウ２３ａの内容は隠されている。すなわち、第一のウィンドウ２３ａのうち、重なった領域２４については、表示画面１７上に表示されていないため、視認できないこととなる。
【００２４】
図４は、この発明の一実施形態に係る表示制御装置１３を含む表示システムにおける表示画面１７の一例を示す図である。図４を参照して、同じ表示画面１７において、第一のウィンドウ２５ａと、第二のウィンドウ２５ｂとが表示されている。第一のウィンドウ２５ａには、実際に「ＸＹＺ」という文字列２６が表示されている。そして、「ＸＹＺ」という文字列２６のうち、「ＹＺ」という文字が、ハッチングで示す重なった領域２７に位置する。すなわち、「ＸＹＺ」の文字列２６のうち、「Ｘ」の文字の位置する領域はそのまま第一のウィンドウ２５ａにおける表示で見ることができるが、「ＹＺ」の文字が位置する領域については、第二のウィンドウ２５ｂの下に隠され、見ることができない状態となっている。なお、見ることができない状態となっている「ＹＺ」の文字については、点線で示している。ここで、判断部２１は、第一のウィンドウ２５ａの上側に第二のウィンドウ２５ｂが重なっているか否かを判断する。
【００２５】
表示制御部２２は、判断部２１により、第一のウィンドウ２５ａの上に第二のウィンドウ２５ｂが重なっていると判断されれば、第一のウィンドウ２５ａ、および第二のウィンドウ２５ｂに重ならない領域に、第一のウィンドウ２５ａの表示内容が把握できる表示内容把握ウィンドウ２８を表示させるよう制御する。
【００２６】
具体的には、この場合、第一のウィンドウ２５ａを縮小した縮小版を表示内容把握ウィンドウ２８として、第一のウィンドウ２５ａのうち、第二のウィンドウ２５ｂが位置しない側の側部に表示するよう制御する。この場合、表示内容把握ウィンドウ２８により、もちろん「ＸＹＺ」の文字列２９については、表示画面１７において、ユーザーに視認可能となる。なお、縮小率については、表示画面１７のスペース等によって任意に定められる。
【００２７】
このような構成の表示制御装置１３によれば、第一のウィンドウ２５ａの表示内容が把握できる表示内容把握ウィンドウ２８を、第一のウィンドウ２５ａ、および第二のウィンドウ２５ｂに重ならない領域に表示するよう制御することとしている。そうすると、重なった領域２７を含めた下側に位置する第一のウィンドウ２５ａの表示内容を、表示内容把握ウィンドウ２８を見ることにより把握することができる。この場合、カーソルの操作等は不要であり、また、上側に位置する第二のウィンドウ２５ｂの表示内容もそのまま見ることができる。したがって、このような表示制御装置１３は、ユーザーの利便性を向上することができる。
【００２８】
この場合、第一のウィンドウ２５ａの全体を縮小した縮小版を表示内容把握ウィンドウ２８として表示するよう制御しているため、どの領域が重なったか否かを気にすることなく、第一のウィンドウ２５ａの表示内容を全体として把握することができる。したがって、よりユーザーの利便性の向上を図ることができる。
【００２９】
また、この場合、表示制御部２２は、表示内容把握ウィンドウ２８を、第一のウィンドウ２５ａの側部に表示するよう制御しているため、どちらのウィンドウ２５ａ、２５ｂの領域が重なって見えなくなっているかを容易に把握することができる。
【００３０】
なお、上記の実施の形態においては、下側に位置する第一のウィンドウ２５ａの全体を縮小した縮小版を表示内容把握ウィンドウ２８として表示するよう制御することとしたが、これに限らず、表示制御装置１３は、判断部２１により、第一のウィンドウ２５ａの上に第二のウィンドウ２５ｂが重なっていると判断されれば、第一のウィンドウ２５ａのうちの重なっている重なり領域を抽出する抽出部をさらに備える構成としてもよい。そして、表示制御部２２は、抽出部により抽出された重なり領域を表示内容把握ウィンドウ２８に表示するよう制御することにしてもよい。
【００３１】
このような構成によれば、表示内容把握ウィンドウ２８による表示を見ることにより、重なっている領域の内容を把握することができる。この場合、第一のウィンドウ２５ａと第二のウィンドウ２５ｂが重なれば、リアルタイムで表示内容把握ウィンドウ２８に表示するよう制御されることとなる。なお、第一および第二のウィンドウ２５ａ、２５ｂの重なりが解消すれば、この表示内容把握ウィンドウ２８は、消去されるよう制御される。
【００３２】
また、表示制御部２２は、重なり領域２７のうち、所定の期間内に更新された更新領域があれば、更新領域を拡大して表示するよう制御することにしてもよい。
【００３３】
図５は、この発明の他の実施形態に係る表示制御装置１３を含む表示システムにおける表示画面１７の一例を示す図である。図５を参照して、表示画面１７には、第一のウィンドウ３１ａと、第二のウィンドウ３１ｂとが開かれて表示されている。第一のウィンドウ３１ａの一部の領域３３の上側に第二のウィンドウ３１ｂの一部が重なって表示されている。
【００３４】
ここで、重なった領域３３において、所定の期間内に「ＸＹＺ」で示される文字列３２のうち、「Ｙ」の文字が更新されたとする。そうすると、表示制御部２２は、更新領域としての「Ｙ」の文字が位置する領域３５を、表示内容把握ウィンドウ３４に表示する。
【００３５】
ユーザーは、基本的に作業領域となる側のウィンドウを上側に位置させるようにするものである。この場合、作業領域は、第二のウィンドウ３１ｂとなる。そして、下側に位置するウィンドウ、この場合、第一のウィンドウ３１ａであるが、第一のウィンドウ３１ａについては、所定の期間内、具体的には、直近に更新された情報だけを見たいものである。例えば、第一のウィンドウ３１ａとして、エクセルファイルが開けられている場合、Ｈ１１のマス目の数値データが１時間以内に更新されていたとすれば、このＨ１１のマス目を中心とした領域を、表示内容把握ウィンドウ３４に表示するよう制御する。このように構成することにより、ユーザーのニーズに沿った表示とすることができる。
【００３６】
なお、この場合、表示制御部２２は、更新領域が複数あれば、それぞれを別個表示するよう制御するようにしてもよい。すなわち、表示内容把握ウィンドウを複数設けることとする。
【００３７】
図６は、この発明のさらに他の実施形態に係る表示制御装置を含む表示システムにおける表示画面の一例を示す図である。図６を参照して、表示画面１７には、第一のウィンドウ３６ａと、第二のウィンドウ３６ｂとが開かれて表示されている。第一のウィンドウ３６ａの一部の領域３８の上に第二のウィンドウ３６ｂの一部が重なって表示されている。
【００３８】
ここで、重なった領域３８において、所定の期間内に「ＸＹＺ」で示される文字列３７のうち、「Ｙ」の文字および「Ｚ」の文字がそれぞれ異なるタイミングで更新されたとする。そうすると、表示制御部２２は、更新領域としての「Ｙ」の文字が位置する領域４０ａ、および「Ｚ」の文字が位置する領域４０ｂを、表示内容把握ウィンドウ３９ａ、３９ｂにそれぞれ表示する。
【００３９】
このように構成することにより、よりユーザーのニーズに沿った表示とすることができる。
【００４０】
なお、上記の実施の形態においては、所定の期間内に更新された更新情報がなければ、更新情報が無い旨を文字等で報知するよう構成してもよい。また、所定の期間内に更新された更新情報がなければ、更新情報のうち、最も新しいものを選択して表示内容把握ウィンドウに表示するよう制御してもよい。
【００４１】
また、このような表示制御装置１３は、コンピューター１２に接続されたディスプレイ１４の表示画面１７のみに限らず、例えば、スマートフォン等の携帯端末装置の表示を制御する際にも利用される。
【００４２】
図７は、この発明に係る表示制御装置を含む携帯端末装置の構成を示すブロック図である。図７を参照して、携帯端末装置４１は、携帯端末装置制御部４２と、ハードディスク４３と、表示画面４４と、表示制御装置４５とを備える。携帯端末装置制御部４２は、携帯端末装置４１自身を制御する。ハードディスク４３は、データを格納する。表示画面４４は、情報を表示する。表示画面４４には、アイコン等が表示される。
【００４３】
表示制御装置４５は、判断部４６と、表示制御部４７とを備える。判断部４６は、第一のウィンドウの上側に第二のウィンドウが重なっているか否かを判断する。表示制御部４７は、判断部４６により、第一のウィンドウの上に第二のウィンドウが重なっていると判断されれば、第一のウィンドウ、および第二のウィンドウに重ならない領域に、第一のウィンドウの表示内容が把握できる表示内容把握ウィンドウを表示させるよう制御する。このような構成によっても、ユーザーの利便性を向上することができる。
【００４４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る表示制御装置は、ユーザーの利便性の向上が要求される場合に、特に有効に利用される。
【符号の説明】
【００４６】
１１  表示システム、１２  コンピューター、１３，４５  表示制御装置、１４  ディスプレイ、１５  キーボード、１６  マウス、１７，４４  表示画面、１８  コンピューター制御部、１９，４３  ハードディスク、２１，４６  判断部、２２，４７  表示制御部、２３ａ，２３ｂ，２５ａ，２５ｂ，３１ａ，３１ｂ  ウィンドウ、２４，２７，３３，３５，３８，４０ａ，４０ｂ  領域、２６，２９，３２，３７  文字列、２８，３４，３９ａ，３９ｂ  表示内容把握ウィンドウ、４１  携帯端末装置、４２  携帯端末装置制御部。
【図１】
0006439719.tif 000002
【図２】
0006439719.tif 000003
【図３】
0006439719.tif 000004
【図４】
0006439719.tif 000005
【図５】
0006439719.tif 000006
【図６】
0006439719.tif 000007
【図７】
0006439719.tif 000008